(57)【特許請求の範囲】
【請求項１】
ａ）合成物質射出成形部分からなるディスク保持体（１）を有し、このディスク保持体が、沈み部（４）を備え、この沈み部内に上から情報ディスクを挿入することができ、
ｂ）沈み部（４）内に挿入された情報ディスクのためにディスク保持体（１）に一体に形成された保持要素（５）を有し、
ｃ）ディスク保持体のための大体において長方形のカバー（２）を有し、このカバーが、その一方の縁に沿ってディスク保持体（１）に取付けられているが、一方カバー（２）の対向する空いた縁が、留め金部分（３）によってディスク保持体（１）に取り外し可能に固定可能である、
円板状の情報ディスク、とくにコンパクトディスクを収容するパッケージにおいて、
留め金部分（３）が、カバー（２）の空いた縁に固定的に結合されている
ことを特徴とする、円板状の情報ディスク、とくにコンパクトディスクを収容するパッケージ。
【請求項２】
留め金部分（３）が、合成物質帯であり、この合成物質帯が、全長においてカバー（２）の空いた縁に結合されていることを特徴とする、請求項１に記載のパッケージ。
【請求項３】
留め金部分（３）が、取付け区間（16）を備え、これらの取付け区間が、留め金部分（３）をディスク保持体（１）に固定するために、ディスク保持体（１）における相応して形成されたスナップ−又は係止要素（13）と共同動作することを特徴とする、請求項１又は請求項２に記載のパッケージ。
【請求項４】
留め金部分（３）が、カバー（２）に接着されていることを特徴とする、前記請求項の１つに記載のパッケージ。
【請求項５】
カバー（２）が、紙又は厚紙からなることを特徴とする、前記請求項の１つに記載のパッケージ。
【請求項６】
カバー（２）が、ディスク保持体（１）の下側に、かつ追加的に縁に沿って延びかつ上方に向いたディスク保持体（１）の帯状の面（12）に接着されていることを特徴とする、前記請求項の１つに記載のパッケージ。
【請求項７】
ディスク保持体（１）の上側と下側との間において測定されたその厚さが、2mmないし4mmであることを特徴とする、前記請求項の１つに記載のパッケージ。
【請求項８】
ディスク保持体（１）と留め金部分（３）が、同一の合成物質射出成形部分の構成部分として、少なくとも１つの目標割り位置（17）を介して材料結合されていることを特徴とする、前記請求項の１つに記載のパッケージ。
【請求項９】
目標割り位置（17）が、長手方向に延びるように形成された留め金部分（３）の中央区間だけにわたって延びており、かつ留め金部分（３）のこれらの中央区間に、両方の端部に向かって取付け区間（16）が続いており、これらの取付け区間が、留め金部分（３）をディスク保持体（１）に固定するために、ディスク保持体（１）における相応して形成されたスナップ−又は係止要素（13）と共同動作することを特徴とする、請求項８に記載のパッケージ。
【請求項１０】
目標割り位置として一列に配置された複数の点状の材料結合部（17）を特徴とする、請求項８又は９に記載のパッケージ。
【請求項１１】
ディスク保持体（１）と留め金部分（３）が、目標割り位置（17）を意図的に割る時点まで、スナップ−又は係止要素（13）を介して形状結合されていると同時に目標割り位置（17）を介して材料結合されていることを特徴とする、請求項８ないし10の１つに記載のパッケージ。
【請求項１２】
目標割り位置（17）の割りが、ディスク保持体（１）に対して相対的に留め金部分（３）を曲げることによって行なわれることを特徴とする、請求項11に記載のパッケージ。
【請求項１３】
ディスク保持体（１）の下側が、平らな平面であることを特徴とする、前記請求項の１つに記載のパッケージ。
【請求項１４】
ディスク保持体（１）の下側に側方の案内継目があることを特徴とする、請求項13に記載のパッケージ。
【発明の詳細な説明】
本発明は、合成物質射出成形部分として製造されたディスク保持体を有し、このディスク保持体が、沈み部を備え、この沈み部内に上から情報ディスクを挿入することができ、さらに沈み部内に挿入された情報ディスクのためにディスク保持体に一体に形成された保持要素を有し、かつさらにディスク保持体のための大体において長方形のカバーを有し、このカバーが、その一方の縁に沿ってディスク保持体に取付けられているが、一方カバーの対向する空いた縁が、留め金部分によってディスク保持体に取り外し可能に固定可能である、円板状の情報ディスク、とくにコンパクトディスクを収容するパッケージに関する。
このようなパッケージは、種々の構成において周知であり、かつこれまでオーディオの分野におけるコンパクトディスクの保管においてきわめて広く普及している。
そのために類概念に記載のパッケージは、例えば世界中に通じるいわゆる“宝石箱”をなしており、この宝石箱は、透明な合成物質から作られた底−及び蓋部分、及びその間にあるディスク保持体から構成されている。底−及び蓋部分は、構造的に紙の情報書類、小冊子等を手で又は機械により挿入することができるように構成されている。加えてパッケージの端面の対向する縁におけるこれらの情報書類の２度の折り曲げは、折り曲げられた範囲が本の背と同様に文字を付けることができるという利点を提供する。底−及び蓋部分は、ヒンジ装置によって共通の縁において揺動可能に互いに結合されており、かつそれにより本のように畳むことができる。“トレイ”とも称するディスク保持体は、相応する機械において自動的にCDを装填され、かつ続いてクランプ座を有する底部分に挿入される。ディスク保持体にクランプ要素が形成されており、これらのクランプ要素は、CD−ディスクの中心穴内にはまり、かつそれによりこれを拘束する。
しかしながらコンパクトディスクは、EDPの分野におけるデータ支持体として、いわゆるCD−ROMとしてますます意味を有するようになり、かつしたがってますます頻繁にコンピュータ雑誌の付録としても適用されるようになっているので、扁平かつ軽量であるがそれでもなおねじりに強いかつ環境の影響に対する保護を十分に提供する形の要求を考慮したパッケージが必要である。
しかしながらこれらの要求に関して、前記の周知のCD−パッケージは、製造技術的な及び適用に関する欠点を有する。このようにディスク保持体は、なおその間に挿入される情報書類に基付いて、すでに製造の間に底部分に挿入することができないので、蓋−及び底部分、ディスク保持体及びテキスト添付物のコストのかかる分離した取扱いが必要である。さらにこのようなパッケージは、構造的にほとんど低下できない少なくとも8mmの厚さに基付いて、比較的かさばり、かつ重い。
さらに３つの範囲に分割されたボール箱からなり、このボール箱の中央に周知のような合成物質から圧縮成形された長方形のディスク保持体が接着されたパッケージが周知である。ボール箱の外側の両方の1/3は、翼のように内方に畳むことができ、かつこの時、互いに重ねて置かれ、ディスク保持体の上側のためのカバーを形成する。このパッケージの前−及び後側は、ディスク保持体に接着された面を除いて、テキスト情報を印刷することができる。追加的になお翼の内面にも外側に向かって折畳み可能なテキスト添付物又は小冊子を装着することができる。カバーの拘束可能な閉鎖可能性がないので、これは自然に開くことがあることが、この周知のパッケージにおいて不利とわかった。十分なねじり強度を達成するために、閉じた状態において両方の翼は二重蓋を形成しており、その結果、結局外側寸法について周知のパッケージは、“宝石箱”に相当し、かつそれにしたがって比較的かさばり、かつ重い。
別の周知のパッケージにおいて、合成物質から射出成形された長方形のディスク保持体は、閉じた状態におけるディスク保持体を包む折畳み可能なボール箱の面上に接着されている。ヒンジを介してディスク保持体に結合されかつカバーを囲む留め金部分によって、カバーの空いた縁は、ディスク保持体に固定することができる。このパッケージは、基本的に簡単にかつ望ましいコストで製造することができ、かつ留め金部分によるカバーの拘束可能性に基付いて、環境の影響に対する良好な保護も提供するが、このパッケージは、その外側寸法、及び安定性の理由から条件となる丈夫なボール紙材料の利用に基付いて、比較的かさばり、かつ重い。
それ故に本発明の課題は、簡単、迅速かつ望ましいコストで製造でき、かつ同時に周知のパッケージに対してとくに扁平かつ軽量な構成の点で優れているように、円板状の情報ディスク、とくにコンパクトディスクを収容するパッケージを変形することにある。
解決のために初めに挙げたようなパッケージにおいて、留め金部分が、カバーの空いた縁に固定的に結合されていることが提案される。
このようなパッケージにより、閉じた状態において簡単にディスク保持体におけるカバーの形状結合した取付けが達成され、この取付けは、とくに扁平かつ軽量の構成を保証する。
本発明のその他の有利な構成において、留め金部分は、合成物質帯であり、この合成物質帯は、空いた縁の全長においてこれに結合されている。この構成により、カバーは、高められた強度と安定性を取得し、かつこのカバーは、パッケージを閉じた際に一様に締付けられる。
頻繁な利用の際に、パッケージの耐久性のあるかつ快適な開き及び閉じを達成するために、さらに留め金部分が、取付け区間を備え、これらの取付け区間が、留め金部分をディスク保持体に固定するために、ディスク保持体における相応して形成されたスナップ−又は係止要素と共同動作することが提案される。
なるべく留め金部分は、カバーに接着されている。なぜならこのことは、簡単かつ望ましいコストの製造方法をなしているからである。
基本的にカバーは、あらゆる適当な材料から、例えば可とう性の合成物質フィルムからなることができる。しかしながらとくに適当なものとして、紙又は厚紙からなるカバーが提案され、このカバーは、パッケージの適当な価格のかつ軽量の構成を可能にする。その上さらに紙は、情報を有するカバーが印刷でき、したがってテキスト添付物を挿入するための製造コストが生じない。
有利な構成において、カバーは、ディスク保持体の下側に、かつ追加的に縁に沿って延びかつ上方に向いたディスク保持体の帯状の面に接着されている。このようにしてカバーの固定的なかつ滑りのない着座が保証される。加えて上方に向いた帯状の接着面は、ディスク保持体の上側に均一な折畳み縁が生じることを可能にし、この折畳み縁は、カバーの確実な開き及び閉じを可能にする。
パッケージがきわめて扁平であり、したがって雑誌の付録として、とくに良好に適することを達成するために、なるべくディスク保持体の上側と下側との間において測定された厚さは、2mmないし4mmである。
さらに本発明によれば、ディスク保持体と留め金部分が、同一の合成物質射出成形部分の構成部分として、少なくとも１つの目標割り位置を介して材料結合されていることが提案される。このようにしてパッケージは、１つだけの合成物質部分から製造することができるので、きわめて簡単かつ望ましいコストの製造が得られる。
本発明の別の有利な構成によれば、目標割り位置が、長手方向に延びるように形成された留め金部分の中央区間だけにわたって延びており、かつ留め金部分のこれらの中央区間に、両方の端部に向かって取付け区間が続いており、これらの取付け区間が、留め金部分をディスク保持体に固定するために、ディスク保持体における相応して形成されたスナップ−又は係止要素と共同動作することが提案される。それにより留め金部分が、閉じた状態において、スナップ−及びクランプ留め金として二重の機能で動作することが達成される。
パッケージを封印する目的で、目標割り位置として一列に配置された複数の点状の材料結合部が使われることが提案される。このようにして留め金部分の簡単な折り取りの他に、折り取られた橋絡片によるそれに続くクランプが達成される。ディスク保持体と留め金部分が、目標割り位置を意図的に割る時点まで、スナップ−又は係止要素を介して形状結合されていると同時に目標割り位置を介して材料結合されていると、第１回目に開いた後に、パッケージを再び初めの状態にすることは不可能である。それにより情報ディスクの製造により生じる内在した封印保護が得られ、この封印保護は、閉じたパッケージからの盗難も困難にする。
目的に合うように目標割り位置の割りは、ディスク保持体に対して相対的に留め金部分を曲げることによって行なわれるので、同時にパッケージを開く際の高められた脱落防止が保証されている。
複数のパッケージの場所を節約したかつ簡単な積み重ね可能性を達成するために、さらにディスク保持体の下側が、平らな平面であることが提案される。
最後に意図したかつ滑りのない積み重ねを行なうことができるようにするために、ディスク保持体の下側に側方の案内継目があることが提案される。
本発明の対象のそれ以上の詳細及び利点は、次に図面に示した実施例によって詳細に説明する。ここでは：
図１は、一方の側からの開いたパッケージの全体図を示し；
図２は、持ち上げられた留め金部分を有するディスク支持体の平面図を示し；
図３は、図２によるディスク支持体の側面図を示し；
図４は、図２によるディスク支持体の正面図を示し；
図５は、情報ディスクを取付けるための保持要素の平面図を示し；
図5aは、図５の平面V a−V aにおける保持要素の断面図を示し；図６は、ディスク保持体の別の構成を平面図で示し；
図７は、図２によるディスク保持体の断面表示を示し；
図7aは、図７においてVII aによって示された範囲の拡大した区間を示し；
図８は、図３においてVIIIによって示されたスナップ−及びクランプ留め金の詳細表示を図で示し；
図９は、図３による眺めに相当する断面表示を示し；
図10は、置き換えた留め金部分において図２によるディスク保持体の側面図を示し；
図10aは、図10においてX aによって示された範囲の拡大した区間を示し；
図11は、ディスク保持体の下側接着面を下から見て示し；
図12は、下側接着面の代替構成を示しかつ
図13は、ディスク保持体と留め金部分の上側接着面を平面図で示している。
図１による本発明によるパッケージは、２ないし4mmの厚さを有する扁平なディスク保持体１、これを包むカバー２、及び留め金部分３からなり、その際、カバー２は、なるべく紙又は厚紙からなる。ディスク保持体１及び留め金部分３は、通常透明な又は着色された合成物質から射出成形により一片で製造され、すなわち利用者によってパッケージを第１回目に開くまで、同一の合成物質射出成形部分の構成部分によって製造されている。
図２から明らかなように、ディスク保持体１は、平面図においてほぼ長方形の形を有し、その形の上側にほぼ正方形の沈み部４が加工されており、この沈み部内に例えばコンパクトディスク（CD）又はその他の情報ディスクが挿入できる。
図５及び5aによれば、中央範囲に、わずかな過剰寸法を備えた弾性保持要素５が一体に形成されているので、通常中心穴を備えたCDが、わずかな圧力によって保持要素上に押すことができ、それからこの位置にクランプして中心配置するようにする。保持要素５は、部分円形の対向する２つのクランプリングからなり、これらのクランプリングは、その内方に向けられた側においてそれぞれディスク保持体を通り抜けかつそれにより弾性作用を生じるスリット６から縁曲げされている。スリット６は、両方の端部に半径方向に延びた短い区間6aを有し、この区間から再び同様にディスク保持体を通り抜けたアンダカット6bが、保持要素５をその外側において部分円形に囲んでいる。それにより保持要素５の作用が改善される。図５に破線で記入されたスリット６を中断する橋絡片6cは、CDへの保持力をさらに改善するようにすることができる。保持要素５は、その上側縁が2mmないし4mmの厚さのディスク保持体１のその他の範囲の高さを越えて突出しないように、扁平に構成されている。
さらに図２によれば、CDの中心孔に対して同心的に配置されたフィン７が挿入されたCDを下からそのもっとも外側の覆われていない縁範囲において支持し、したがって掻き傷に対する保護を形成していることがわかる。
沈み部４内においてさらに情報ディスクを保護するように回りを囲む補強リブ８が持ち上がっており、これらの補強リブは、沈み部４の角範囲においてほぼ半円形の湾曲部９によって広がっているので、指のつめによって下からつかむことによって、ディスク保持体１からのコンパクトディスクの簡単かつ意図的な持ち上げが可能になる。湾曲部９が、挿入されたCDによって一部覆われる楕円形のつかみ穴10に形成された代替構成は、図６に示されている。
互いに離れた方の２つの側縁に沿ってディスク保持体１は、その高さにおいてその他の構造要素を越えていくらか突出した縦になった閉鎖縁11を備え（図７及び7a参照）、この閉鎖縁は、外方に向かって斜めに降下しかつディスク保持体１の後側を形成する帯状の面12に口を開いている。同じ長さ及び幅にわたってディスク保持体１の下側に、相補的な案内継目が形成されており（図示せず）、これらの案内継目内に、複数のディスク保持体を積み重ねた際に縦になった縁11が噛み合い、それにより意図したかつ滑りのない積み重ねが保証される。さらに積み重ねたパッケージの簡単なかつ自動化可能な取扱いを達成するために、帯状の面12の下側は、ディスク保持体１の残りの平らな下側に関していくらか内方にずらされているので（図示せず）、互いに重ねたパッケージの間に切り欠きが生じ、これらの切り欠きは、相応するつかみ工具による正面からのつかみを可能にする。
帯状の面12に対向するディスク保持体１の縁は、上方に開いたフック状のスナップ−又は係止要素13によって形成され、これらのスナップ−又は係止要素は、パッケージの閉鎖を可能にするために、留め金部分３の相応する取付け区間と共同動作する。
次に図４及び13によって、留め金部分３の詳細を説明する。留め金部分３は、ディスク保持体１の全幅にわたって延びた大体において長方形の合成物質帯からなり、この合成物質帯の上側は、平らな接着面15を形成しており（図13参照）、かつこの合成物質帯の下側14aは、中央区間にいくらか高くなった指の幅のつかみ要素14を備え、このつかみ要素の端部にディスク保持体１のスナップ−又は係止要素に対応する取付け区間16が続いている（図４参照）。つかみ要素14は、留め金部分の改善された人間工学的な取扱いのため以外に、扁平な合成物質帯の支持のためにも使われるので、パッケージの正確かつねじれの少ない開きが達成される。
共通の射出成形工具における射出成形の後に、ディスク保持体１と留め金部分３は、スナップ−及び係止要素13又は取付け区間16の間に一列に配置された複数の点状の材料結合部17を介して、互いに結合されており、このことは、図３及び８から明らかである。留め金部分３は、その際、ディスク保持体１に対して垂直に整列している。このように製造された射出成形部分において続いて留め金部分３は、両方の取付け区間16がスナップ−又は係止要素に噛み合うまで、この時にヒンジとして作用する材料結合部17の回りに置かれる。この時点において、目標割り位置として使われる材料結合部17はまだ無傷なので、ディスク保持体１と留め金部分３との間に材料結合部17を介した材料接続、及びスナップ−又は係止要素13内に固定クランプされた取付け区間16を介した形状結合が存在する。その後初めて、CDは、パッケージ内に挿入され、かつ続いてカバー２が、そのために設けられた接着位置においてまだ一片の射出成形部分に接着される。この時点からCDは、まずディスク保持体１から留め金部分３を外すことによって、なおパッケージから取出すことができるだけである。第１回目にこのことは、材料結合部17をあらかじめ破壊した後にしか可能でないので、CDの第１回目の利用の前に、簡単であるが効果的な封印が達成される。
材料結合部17は、これらがヒンジの様式による一度の揺動を可能にし、それに対してそれに続く戻し揺動の際に、材料疲労のために折れるように構成されている。
ディスク保持体１は、閉じたパッケージ状態において、１つのシート紙、厚紙又はフィルムからなるこれを包むカバー２に接着されている。そのために接着面として、図11ないし13に示した二重ハッチングで示す範囲が適している。その際、下側接着面18として、ディスク保持体１の平らな全下面（図11参照）が利用でき、又はその代わりにディスク支持体１の外側縁に沿って延びた（図12参照）２つの狭い区間18aだけが利用できる。最後に挙げた代案は、加えてガラスのように透明な合成物質から製造されたディスク保持体を利用する際に、CDを取出した際に見えるようになる追加的な宣伝−又は情報面20がパッケージの下側に生じる（図１参照）という利点を提供する。
ディスク保持体１の上側における接着面19及び15は、帯状の面12、及びすでにのべたように回りに置かれた留め金部分３の平らな上側によって形成される（図13参照）。接着は、情報ディスクをすでに装備し、かつ留め金部分３が回りを囲むがまだディスク保持体１に材料結合されている際に行なわれるので、目標割り位置を割った後に初めて、ディスク保持体１に対して相対的に利用者によって行なわれる曲げのため、CDを取出すために、パッケージは初めて開くことができる。それにより同時に、製造にとってコスト上望ましい内在する情報ディスクの封印保護が得られる。追加的にCDのディスク保持体１からの脱落を防止するために、カバー２は、ディスク保持体の前側においてそれぞれCDの外径にまで接着することができる。
なおディスク保持体１とカバー２の接着の前に、CDとカバー２の下側との間に平らな印刷物を挿入することができる。印刷物は、同様に紙からなるだけになおさらのこと、カバー２の下側に固定的に結合することもできる。
符号リスト
１  ディスク保持体
２  カバー
３  留め金部分
４  沈み部
５  保持要素
６  スリット
6a  半径方向に延びた区間
6b  アンダカット
6c  橋絡片
７  支持フィン
８  補強リブ
９  湾曲部
10  つかみ穴
11  縦になった閉鎖縁
12  帯状の面
13  スナップ−又は係止要素
14  つかみ要素
14a  留め金部分の下側
15  留め金部分の接着面
16  取付け区間
17  点状の材料結合部目標割り位置
18  ディスク保持体の下側接着面
18a  代替下側接着面
19  ディスク保持体の上側接着面
20  宣伝面
【図１】
0003603268.tif 000002
【図４】
0003603268.tif 000003
【図７ａ】
0003603268.tif 000004
【図８】
0003603268.tif 000005
【図２】
0003603268.tif 000006
【図３】
0003603268.tif 000007
【図５】
0003603268.tif 000008
【図５ａ】
0003603268.tif 000009
【図６】
0003603268.tif 000010
【図７】
0003603268.tif 000011
【図９】
0003603268.tif 000012
【図１０】
0003603268.tif 000013
【図１０ａ】
0003603268.tif 000014
【図１１】
0003603268.tif 000015
【図１２】
0003603268.tif 000016
【図１３】
0003603268.tif 000017